(57)【要約】      （修正有）【課題】簡易な構成で、横断幕を付けない場合に店舗の外観を損ねることがなく、しかも幕張り作業を容易に行える幕張装置を提供する。【解決手段】可動係止具１とガイド部材２と固定係止具３とを備え、固定係止具３は、横断幕４の一端を係止する垂直な棒状係止部５ｂを有し、垂下して躯体８に取付けてあり、ガイド部材２は、可動係止具１を摺動自在に支持するレール部を長手方向にわたって有していると共に、可動係止具位置決め用の被係合部を長手方向に複数有し、固定係止具３と左右方向に間隔をあけて躯体８に固定してあり、可動係止具１は、ガイド部材のレール部６に沿って摺動する摺動部９と、摺動部に設けた係合部と、摺動部から垂下し横断幕の他端を係止する垂直な棒状係止部５ａとを有し、レール部に沿って摺動自在で且つ係合部をガイド部材の被係合部に係合して位置決め可能になっている。【選択図】図４
2005308892.tif 000002
【特許請求の範囲】
【請求項１】
可動係止具とガイド部材と固定係止具とを備え、固定係止具は、横断幕の一端を係止する垂直な棒状係止部を有し、垂下して躯体に取付けてあり、ガイド部材は、可動係止具を摺動自在に支持するレール部を長手方向にわたって有していると共に、可動係止具位置決め用の被係合部を長手方向に複数有し、固定係止具と左右方向に間隔をあけて躯体に固定してあり、可動係止具は、ガイド部材のレール部に沿って摺動する摺動部と、摺動部に設けた係合部と、摺動部から垂下し横断幕の他端を係止する垂直な棒状係止部とを有し、レール部に沿って摺動自在で且つ係合部をガイド部材の被係合部に係合して位置決め可能になっていることを特徴とする幕張装置。
【請求項２】
固定係止具は、躯体から垂下する柱体を有し、柱体は一側に収納部を柱体の長手方向にわたって有し、棒状係止部が収納部内に収納してあり、可動係止具は、摺動部の一側に柱体を有し、柱体は一側に収納部を柱体の長手方向にわたって有し、棒状係止部が収納部内に収納してあり、固定係止具及び可動係止具の柱体は、一側面に開口する開口部を有し、収納部に屋内外方向若しくは左右方向の軸を有し、軸に棒状係止部の下端部を軸着してあり、棒状係止部は回動して開口部から突出自在となっていることを特徴とする請求項１記載の幕張装置。
【請求項３】
複数の可動係止具と複数のガイド部材とを備え、ガイド部材は、可動係止具を摺動自在に支持するレール部を長手方向にわたって有していると共に、可動係止具位置決め用の被係合部を長手方向に複数有し、左右方向に互いに間隔をあけて躯体に固定してあり、可動係止具は、ガイド部材のレール部に沿って摺動する摺動部と、摺動部に設けた係合部と、摺動部から垂下し横断幕の端部を係止する垂直な棒状係止部とを有し、一方の可動係止具は一方のガイド部材のレール部に沿って摺動自在で且つ係合部を一方のガイド部材の被係合部に係合して位置決め可能になっており、他方の可動係止具は他方のガイド部材のレール部に沿って摺動自在で且つ係合部を他方のガイド部材の被係合部に係合して位置決め可能になっていることを特徴とする幕張装置。
【発明の詳細な説明】
【技術分野】
【０００１】
本発明は、コンビニエンスストアの店先などに設置される横断幕のための幕張装置に関するものである。
【背景技術】
【０００２】
コンビニエンスストアの出入口の頭上には、新商品や期間限定商品等をＰＲする横断幕が掲げられている。従来のそうした横断幕は、木の角材を組んで構成した木枠に載せて周囲に引っ張り、鋲で木枠に固定していた。この横断幕は、一月程度の短いサイクルで取替えなければならず、木枠の上げ下ろし、幕張り作業に多くの労力と時間を費やしている。
【０００３】
特許文献１には、フレームを枠状に組立ててなる横断幕のための幕張装置が開示されている。この幕張装置は、横断幕を鋲でフレームに固定する代わりに、フレームに多数の係止金具を備え、横断幕の周縁部に形成した孔を一つ一つ係止金具に引っ掛けて止めている。またこの幕張装置は、一方側の縦フレームに横断幕の固定部を有し、他方側の縦フレームには横断幕を横に引っ張って伸ばすため、バネ式の突張り付勢装置を構成してある。この装置に横断幕を張るときは、一方側の縦フレームの固定部に横断幕の一端を固定した後、横断幕の他端を他方側に手で引っ張りながら幕の孔に係止具を順次引っ掛けてゆき、最後に横断幕の他端を突張り付勢装置に引っ掛けるようにしている。
【特許文献１】実登３０３４１９８号公報
【発明の開示】
【発明が解決しようとする課題】
【０００４】
上記の幕張装置は、大掛かりでコストが高く、また、横断幕を付けない状態では縦横のフレームがむき出しとなって店舗の外観を著しく損ねるし、かといって軒天から取り外すのも容易ではない。その上、横断幕の周囲に多数の孔を開け、その孔に係止具を一つ一つ引っ掛けなければならないので、幕張り作業に時間が掛かる。本発明はこうした実情に鑑み、簡易な構成で、横断幕を付けない場合に店舗の外観を損ねることがなく、しかも幕張り作業を容易に行える幕張装置の提供を目的とする。
【課題を解決するための手段】
【０００５】
上記の課題を達成するために、請求項１記載の発明による幕張装置は、可動係止具とガイド部材と固定係止具とを備え、固定係止具は、横断幕の一端を係止する垂直な棒状係止部を有し、垂下して躯体に取付けてあり、ガイド部材は、可動係止具を摺動自在に支持するレール部を長手方向にわたって有していると共に、可動係止具位置決め用の被係合部を長手方向に複数有し、固定係止具と左右方向に間隔をあけて躯体に固定してあり、可動係止具は、ガイド部材のレール部に沿って摺動する摺動部と、摺動部に設けた係合部と、摺動部から垂下し横断幕の他端を係止する垂直な棒状係止部とを有し、レール部に沿って摺動自在で且つ係合部をガイド部材の被係合部に係合して位置決め可能になっていることを特徴とする。
【０００６】
請求項２記載の発明による幕張装置は、上記の構成に加え、固定係止具は、躯体から垂下する柱体を有し、柱体は一側に収納部を柱体の長手方向にわたって有し、棒状係止部が収納部内に収納してあり、可動係止具は、摺動部の一側に柱体を有し、柱体は一側に収納部を柱体の長手方向にわたって有し、棒状係止部が収納部内に収納してあり、固定係止具及び可動係止具の柱体は、一側面に開口する開口部を有し、収納部に屋内外方向若しくは左右方向の軸を有し、軸に棒状係止部の下端部を軸着してあり、棒状係止部は回動して開口部から突出自在となっていることを特徴とする。
【０００７】
請求項３記載の発明による幕張装置は、複数の可動係止具と複数のガイド部材とを備え、ガイド部材は、可動係止具を摺動自在に支持するレール部を長手方向にわたって有していると共に、可動係止具位置決め用の被係合部を長手方向に複数有し、左右方向に互いに間隔をあけて躯体に固定してあり、可動係止具は、ガイド部材のレール部に沿って摺動する摺動部と、摺動部に設けた係合部と、摺動部から垂下し横断幕の端部を係止する垂直な棒状係止部とを有し、一方の可動係止具は一方のガイド部材のレール部に沿って摺動自在で且つ係合部を一方のガイド部材の被係合部に係合して位置決め可能になっており、他方の可動係止具は他方のガイド部材のレール部に沿って摺動自在で且つ係合部を他方のガイド部材の被係合部に係合して位置決め可能になっていることを特徴とする。
【発明の効果】
【０００８】
請求項１記載の発明による幕張装置は、固定係止具と可動係止具に横断幕の左右の端部をそれぞれ係止し、可動係止具をガイド部材に沿って移動し位置決めすることで横断幕を張るものであり、従来のもののように枠状に構成されておらず、幕を張るための複雑な機構を必要としないため、構造が簡素で安価に製作することができ、しかも横断幕を付けない場合に店舗の外観を損ねない。幕張り作業は、横断幕の左右両端に筒状の被係止部を設けておき、そこに固定係止具と可動係止具の棒状係止部を差し込んで係止させ、可動係止具を固定係止具から離間する方向にガイド部材に沿って移動させ、幕を張った状態で可動係止具を位置決めすることで、簡単に短時間で行うことができる。しかも横断幕は、垂直な棒状係止部で左右に強く引っ張られ、且つ可動係止具は係合部がガイド部材の被係合部に係合して移動しないため、幕の上下ともに弛みが生じることがなくきれいに張ることができ、その状態を長期間維持できる。
【０００９】
請求項２記載の発明による幕張装置は、棒状係止部を回動して柱体から突出させることで、横断幕の端を棒状係止部に容易に係止させることができ、横断幕の取付け・取り外し作業が一層容易に行える。
【００１０】
請求項３記載の発明による幕張装置は、請求項１記載のものと同様の効果が得られ、さらに、複数の可動係止具のうち何れを操作しても横断幕を張ることができて便利である。
【発明を実施するための最良の形態】
【００１１】
以下、本発明の実施の形態を図面に基づいて説明する。図１から図５は、本発明に係る幕張装置の一実施形態を示している。この幕張装置は、コンビニエンスストアの出入口前の軒天８に吊下げる形で設けられ、新商品等をＰＲする横断幕４を張るために用いられる。この幕張装置は、図４に示すように、横断幕４の左右の端部をそれぞれ係止する固定係止具３及び可動係止具１と、可動係止具１を左右方向に摺動自在に案内するガイド部材２とを備え、可動係止具１を固定係止具３から離間する方向に移動させて横断幕４を左右に引っ張り、可動係止具１を位置決めすることにより、横断幕４を短時間でしかも見栄え良く張ることができるようにしたものである。
【００１２】
軒天８には、固定係止具３を取付けるための取付金具１５とガイド部材２とが左右方向に間隔をあけて取付けてある。軒天８内部の取付金具１５を取付けている部分は、屋内外方向にチャンネル材１６を渡して補強してあり、ガイド部材２を取付けている部分は、アングル材１７，１７とチャンネル材１８とでＨ形に形成した補強材で補強してあって、取付金具１５とガイド部材２はこれらの補強材にボルトで強固に取付けてある。ガイド部材２は、左右方向で設置してあり、図３に示すように、下部側が開口する略Ｃ字状の断面形状を有し、開口縁部に可動係止具１を摺動自在に支持するレール部６を全長にわたって形成してある。さらにガイド部材２は、可動係止具１の位置決め用のレール１９を内装してビス等で固定してあり、レール１９には、図１と図２に示すように、可動係止具１のラッチ爪１０が係止する四角孔７を長手方向に等ピッチで並べて複数形成してある。
【００１３】
可動係止具１は、ガイド部材２のレール部６に嵌合して摺動する摺動部９を有しており、摺動部９の上面には、バネ２０で上方に付勢したラッチ爪１０が突出している。ラッチ爪１０は略角柱状に形成され、且つその上端には、図１に示すように、固定係止具３から遠ざかるほど下る傾斜面２１を有している。ラッチ爪１０の下部は、摺動部９に挿通して上下動可能に設けた操作レバー２２にピン２３で連結してある。したがって摺動部９は、横断幕４を張る方向（左方向）には、摺動部９の移動に伴ってラッチ爪１０が上下動するため自由に動かせるが、横断幕４が弛む方向（右方向）にはラッチ爪１０がガイド部材の四角孔７に係合するため動かせない。操作レバー２２を下方に引っ張ってラッチ爪１０を四角孔７から抜けば、摺動部９は横断幕４が弛む方向に移動自在となる。操作レバー２２には、指を掛けるための孔２４を形成してある。
【００１４】
摺動部９の左側には、取付金具２５を介して柱体１１ａを鉛直に固定してある。柱体１１ａは、図２に示すように、その内部の左側部分に全長にわたって収納部１２を形成してあり、収納部１２内に、横断幕４の左端に形成した筒状の被係止部２６を係止する鉛直な棒状係止部５ａを収納して備えている。棒状係止部５ａは、収納部１２下部に屋内外方向に貫通したボルト１３とこれに螺合するナット２７により、下端部を柱体１１ａに軸着してある。収納部１２は、棒状係止部５ａを屋内外方向に移動できるように屋内外方向に余裕をもって形成してあると共に、柱体１１ａの左側面に長手方向にわたって形成した開口部１４で開口しており、棒状係止部５ａを収納部１２の屋内側位置に移動させたときには、図１に二点鎖線で示すように、棒状係止部５ａはボルト１３を支点として回動し開口部１４から突出させることができ、これにより横断幕端部の被係止部２６を棒状係止部５ａに容易に係止させることができる。棒状係止部５ａは、ストッパーを設けるなどして回動時に斜め上向きの角度で止まるようにすることが好ましい。図１に示す棒状係止部５ａは、約４５°回動したところで下端部が柱体１１ａ下端に取付けた蓋体３０に当って止まるようにしてある。横断幕４を張ったときには、棒状係止部５ａは収容部１２内の屋外側位置に移動し、その屋外側部分が収納部１２を構成する壁面に当接し保持される。これにより、横断幕４を強く張っても棒状係止部５ａの変形を防止できる。図中の２８は、柱体１１ａの側面に回動自在に設けた止め金であり、止め金２８は横断幕４の端部を押えると共に、棒状係止部５ａの傾動を阻止する。図中の２９は、柱体１１ａの曲がりや傾きを防止するための補強材である。ガイド部材２と柱体１１ａには、アルミニウム合金の押出形材を使用している。
【００１５】
固定係止具３は、上述の可動係止具１と同様の柱体１１ｂと棒状係止部５ｂを、可動係止具１とは左右対称に有しており、柱体１１ｂは取付金具１５により軒天８に固定して垂下させてある。
【００１６】
この幕張装置の使用方法を図６に即して説明する。横断幕４は、左右の縁を折り返しミシンで縫ったり接着するなどして、左右の端部に筒状の被係止部２６をそれぞれ設けておく。横断幕４を張るときの手順は、図６（ａ）に示すように、可動係止具１を右側に移動させておき、両係止具の柱体１１ａ，１１ｂから棒状係止部５ａ，５ｂを突出させる。次に図６（ｂ）に示すように、横断幕の被係止部２６を棒状係止部５ａ，５ｂにそれぞれ差し込んで係止させ、棒状係止部５ａ，５ｂを回動して柱体１１ａ，１１ｂの収納部１２に収納する。次に、図６（ｃ）に示すように、可動係止具１を手で持ち左方向に動かすと横断幕４は両係止具１，３間で左右に引っ張られ、図６（ｄ）に示すように、横断幕４が皺無く張った状態で可動係止具１から手を離せば、ラッチ爪１０がガイド部材の四角孔７に係合し、可動係止具１はその位置で移動不能に位置決めされる。横断幕４を外す際には、可動係止具１の操作レバー２２を下方に引くことでラッチ爪１０が四角孔７から抜け、可動係止具１が右方向に移動可能となるので、横断幕４を弛めて取付時と同じように棒状係止部５ａ，５ｂを柱体１１ａ，１１ｂから突出させ、横断幕４の被係止部２６を棒状係止部５ａ，５ｂから抜き取ればよい。
【００１７】
このように本幕張装置によれば、横断幕４の被係止部２６を両係止具の棒状係止部５ａ，５ｂに係止させ、可動係止具１をガイド部材２に沿って移動させるだけの簡単な作業で、横断幕４を短時間できれいに張ることができる。従来のように枠体を軒天８から上げ下ろしする必要がなく、横断幕４を張りながら枠体のフレームに何箇所も固定したりする必要もない。棒状係止部５ａ，５ｂは、下端部をボルト１３で柱体１１ａ，１１ｂに軸着し且つ柱体の収納部１２に収納してあるので、横断幕の被係止部２６が棒状係止部５ａ，５ｂから抜けてくることがなく、意匠的にも良好である。また、横断幕４を付けない状態では、図７に示すように、二本の柱体１１ａ，１１ｂから軒天８から垂下しているだけで目立たないので、店舗の外観を損ねない。
【００１８】
図８は、本発明に係る幕張装置の別の実施形態を示している。これまでに説明したものは、横断幕４の左右端部を係止する二つの係止具のうち一方が可動係止具１、他方が固定係止具３となっていたが、この実施形態は左右両側を可動係止具１としたものである。可動係止具１とガイド部材２は、先に述べたものと同様に構成することができる。
【００１９】
本発明は以上に述べた実施形態に限定されない。固定係止具と可動係止具は、棒状係止部を柱体に収納せずに露出して設けてもよい。棒状係止部は、左右方向の軸で柱体に軸着し、屋内側ないし屋外側に突出自在とすることもできる。摺動部の係合部とガイド部材の被係合部の構成は、上述したような位置決めを自動で行えるラッチ式のものに限らず、手でピンを抜き差しして位置決めするようなものでもよい。
【図面の簡単な説明】
【００２０】
【図１】可動係止具及びガイド部材の正面図である。
【図２】可動係止具の平面図である。
【図３】可動係止具及びガイド部材の右側面図である。
【図４】本発明の幕張装置の一実施形態を示す正面図である。
【図５】同側面図である。
【図６（ａ）（ｂ）（ｃ）（ｄ）】本発明の幕張装置に横断幕を張るときの手順を示す図である。
【図７】横断幕を付けない状態でのコンビニエンスストアの正面図である。
【図８】本発明の幕張装置の別の実施形態を示す正面図である。
【符号の説明】
【００２１】
１  可動係止具
２  ガイド部材
３  固定係止具
４  横断幕
５ａ，５ｂ  棒状係止部
６  レール部
７  四角孔（被係合部）
８  軒天（躯体）
９  摺動部
１０  ラッチ爪（係合部）
１１ａ，１１ｂ  柱体
１２  収納部
１３  ボルト（軸）
１４  開口部
【図１】
2005308892.tif 000003
【図２】
2005308892.tif 000004
【図３】
2005308892.tif 000005
【図４】
2005308892.tif 000006
【図５】
2005308892.tif 000007
【図６（ａ）（ｂ）（ｃ）（ｄ）】
2005308892.tif 000008
【図７】
2005308892.tif 000009
【図８】
2005308892.tif 000010